(57)【要約】 【課題】水濾過用部及びそれに連設されたポンプ配置用部とを有する水濾過装置の該ポンプ配置用部を、揚水ポンプの配置だけでなく、水槽内水の一層の水質向上のためにも利用できるようにする。【解決手段】水濾過用部１と、それに連設されたポンプ配置用部２とを有し、それらを水槽Ｂの上部に設置して用いる水濾過装置Ａ。ポンプ配置用部２に設置される補助ケース３を備えており、ケース３は、水質管理材Ｆ１を収容可能であり、揚水ポンプＰの水吐出口部Ｐ１を接続するポンプ接続部３１と、そこから立ち上がる送水管３２と、送水管３２の上端部に接続され、ポンプＰで汲み上げられた水の一部を水濾過用部１の濾過材Ｆへ向け、残部を補助ケース３内へ向け分流落下させる水分流器３５と、補助ケース３内水を水濾過用部１へ流入させる溢出口部３３とを有している。【選択図】図２
2008237031.tif 000002
【特許請求の範囲】
【請求項１】
水濾過用部と、該水濾過用部に連設されたポンプ配置用部とを有し、連設された状態の該水濾過用部及びポンプ配置用部を水槽上部に設置して用いる水槽用の水濾過装置であり、該水濾過用部は濾過材収容スペース及び該濾過材収容スペースに収容される濾過材で濾過される水を前記水槽内へ放出するための濾過水放出部を有しており、前記ポンプ配置用部は水槽内水を汲み上げて前記水濾過用部の濾過材収容スペースに収容される濾過材へ上方から供給する揚水ポンプの配置に用いられる水濾過装置であって、
前記ポンプ配置用部に設置される補助ケースを備えており、
該補助ケースは、予め定めた水質管理材を収容可能の内部スペースを有しているとともに、前記揚水ポンプとして水中使用可能の揚水ポンプの水吐出口部を接続する該補助ケース底部のポンプ接続部と、該ポンプ接続部から立ち上がる送水管と、該送水管の上端部に接続され、該ポンプで水槽内から汲み上げられ該送水管を上昇してくる水の一部を前記水濾過用部の濾過材収容スペースに収容される濾過材へ向け、残部を該補助ケース内へ向け分流落下させる水分流器と、該水分流器から該補助ケース内へ落下供給される水の前記水濾過用部への溢出口部とを有しており、
前記水濾過用部は前記補助ケースの溢出口部からの溢出水を受け入れる溢出水受け入れスペースを備えているとともに、前記濾過材収容スペースに収容される濾過材の下方に位置する濾過水受け入れスペースを備えており、該濾過水受け入れスペースは該溢出水受け入れスペース及び前記濾過水放出部に連通していることを特徴とする水濾過装置。
【請求項２】
前記水濾過用部は前記ポンプ配置用部に臨む側壁を有しており、前記溢出水受け入れスペースは該側壁内側に形成されており、前記濾過材収容スペースは該溢出水受け入れスペースに隣り合っており、前記補助ケースの溢出口部は、該補助ケースが前記ポンプ配置部に設置された状態で該水濾過用部の溢出水受け入れスペースの上部に臨むことができる請求項１記載の水濾過装置。
【請求項３】
前記水濾過用部は前記濾過材収容スペースを間にして前記溢出水受け入れスペースとは反対側に前記濾過水放出部を有しており、該濾過材収容スペースに収容される濾過材下方に位置する前記濾過水受け入れスペースは該濾過水放出部まで延在している請求項１又は２記載の水濾過装置。
【請求項４】
前記濾過水放出部は、底部から立ち上がり、上端に水流入口を有する、水濾過用部内水位調整用の水放出管を備えている請求項３記載の水濾過装置。
【発明の詳細な説明】
【技術分野】
【０００１】
本発明は、魚等の動物の飼育や観賞、植物の育成や観賞等に用いることができる水槽のように水槽内水の濾過が求められる水槽のための水濾過装置に関する。
【背景技術】
【０００２】
動物の飼育や観賞、植物の育成や観賞等に用いる水槽のように水槽内水の濾過が求められる水槽の水を濾過す水濾過装置は、これまで種々のタイプのものが提案、開発され、実用に供されてきたが、その中に、水濾過用部と、該水濾過用部に連設されたポンプ配置用部とを有し、連設された状態の該水濾過用部及びポンプ配置用部を水槽上部に設置して用いる水槽用の水濾過装置が知られている。
【０００３】
図４、図５はそれぞれその例を示している。
図４に示す水濾過装置Ａ’は、水濾過用部１’と、図中その右側に連設されたポンプ配置用部２’とを含んでいる。
【０００４】
水濾過用部１’は上端が開放された横長のボックス形態のケース１１’を含んでおり、ケース１１’内に、ポンプ配置用部２’に隣り合って濾過材収容スペースｓ１’を有している。濾過材収容スペースｓ１’の下部には多数の通水孔（図示省略）を形成した濾過材支持板１２’が配置される。ケース１１’は濾過材支持板１２’の下方に濾過水受け入れスペースｓ２’を有している。
【０００５】
ケース１１’は、濾過材収容スペースｓ１’を間にしてポンプ配置用部２’とは反対側に、上端が開放されたボックス状の濾過水放出部１３’も有している。
濾過材収容スペースｓ１’とポンプ配置用部２’との間には仕切り壁１１ｂ’があり、スペースｓ１’と濾過水放出部１３’との間には仕切り壁１１ａ’がある。
【０００６】
使用にあたっては、濾過材支持板１２’に支持される状態で濾過材収容スペースｓ１’に濾過材Ｆが収容され、該濾過材の上方に、多数の散水孔（図示省略）を形成した散水板１４’が配置される。散水板１４’はその左右両端部が仕切り壁１１ａ’及び１１ｂ’に支持されることで濾過材Ｆの上方に配置される。
【０００７】
濾過材支持板１２’下方の濾過水受け入れスペースｓ２’は仕切り壁１１ａ’の下を通って濾過水放出部１３’まで延在している。
【０００８】
濾過水放出部１３’には水濾過用部１’内水位調整用の水放出管１３１’が底部から立設されており、その上端は濾過水を流入させる水流入口１３１ａ’となっている。水放出管１３１’の下端には濾過水を水槽内へ拡散放出する水拡散器１３２’が接続されることがある。
【０００９】
ポンプ配置用部２’は、図示例ではケース１１’と一体的に形成され、上端が開放され、底壁２１’に開口（図示省略）を形成したボックス形状のものである。その中に揚水ポンプＰ’を構成するポンプモータ部ｐｍ’が設置され、該モータ部ｐｍ’から底壁開口を通して揚水ポンプ本体ｐｂ’が垂下される。ポンプ本体ｐｂ’の吸水口には水槽内水へ入れ込む吸水パイプｐ１’が接続され、ポンプ本体ｐｂ’の水吐出口には送水パイプｐ２’が接続される。
【００１０】
送水パイプｐ２’は、ポンプ配置用部２’の底壁開口を通って上方へ延び、水流出口ｐ２ａ’が前記濾過材Ｆ及びその上側の散水板１４’の上方に位置せしめられる。
【００１１】
この水濾過装置Ａ’は、一体化された水濾過用部１’及びポンプ配置用部２’を水槽Ｂの上枠ｆに設置して用いられる。そのように設置した状態でポンプ本体ｐｂ’に接続された吸水パイプｐ１’を水槽Ｂ内の水Ｗに入れて用いられる。なお、図４中、ｇは水槽の側周壁のガラス板である。
【００１２】
上記のように設置された水濾過装置Ａ’においては、ポンプモータ部ｐｍ’でポンプ本体ｐｂ’を駆動することで、水槽内水Ｗが吸水パイプｐ１’からポンプ本体ｐｂ’内へ吸引され、送水パイプｐ２’を通って散水板１４’へ供給され、さらに該散水板１４’から濾過材Ｆの各部に供給されて濾過され、濾過水受け入れスペースｓ２’から濾過水放出部１３’へ入り、そこの水放出管１３１’から放出され、水槽Ｂ内へ戻される。
【００１３】
図５に例示する水濾過装置Ａ”は、図４に示す水濾過装置Ａ’において揚水ポンプＰ’に代えて揚水ポンプＰ”を採用するものである。その他の点は図４に示す装置Ａ’と同構成である。図４に示す装置Ａ’における部品、部分等と同じ部品、部分等には図４と同じ参照符号を付してある。
【００１４】
図５の装置Ａ”における揚水ポンプＰ”は、水中に浸けて使用できるポンプであり、ポンプＰ”の吸水口には吸水パイプｐ１”が、ポンプＰ”の水吐出口には送水パイプｐ２”が接続されている。
【００１５】
送水パイプｐ２”はポンプ配置部２’の底壁開口を通るが、その底壁より上側にポンプ取扱用ハンドルＨが設けられており、そのハンドルＨがポンプ配置用部２’内に設置されることで、ポンプＰ”が支持される。
【００１６】
送水パイプｐ２”は、ポンプ配置用部２’の底壁開口を通って上方へ延び、水流出口ｐ２ａ”が濾過材Ｆ及びその上側の散水板１４’の上方に位置せしめられる。この装置Ａ”においても、前記装置Ａ’と同様に水槽Ｂ内の水Ｗを濾過することができる。
【発明の開示】
【発明が解決しようとする課題】
【００１７】
しかしながら、図４に示す装置Ａ’にしても、図５に示す装置Ａ”にしても、ポンプ配置用部はそれなりに大きいスペースを占めるにもかかわらず、揚水ポンプの配置に用いられているだけであり、スペースの有効利用の点からすると、この点につき工夫が求められる。
【００１８】
そこで本発明は、水濾過用部と、該水濾過用部に連設されたポンプ配置用部とを有し、連設された状態の該水濾過用部及びポンプ配置用部を水槽上部に設置して用いる水槽用の水濾過装置にして、該水濾過用部は濾過材収容スペース及び該濾過材収容スペースに収容される濾過材で濾過される水を前記水槽内へ放出するための濾過水放出部を有しており、前記ポンプ配置用部は水槽内水を汲み上げて前記水濾過用部の濾過材収容スペースに収容される濾過材へ上方から供給する揚水ポンプの配置に用いられる水濾過装置であって、該ポンプ配置用部を、揚水ポンプの配置だけでなく、水槽内水の一層の水質向上のためにも利用できる水濾過装置を提供することを課題とする。
【課題を解決するための手段】
【００１９】
前記課題を解決するため本発明は、
水濾過用部と、該水濾過用部に連設されたポンプ配置用部とを有し、連設された状態の該水濾過用部及びポンプ配置用部を水槽上部に設置して用いる水槽用の水濾過装置であり、該水濾過用部は濾過材収容スペース及び該濾過材収容スペースに収容される濾過材で濾過される水を前記水槽内へ放出するための濾過水放出部を有しており、前記ポンプ配置用部は水槽内水を汲み上げて前記水濾過用部の濾過材収容スペースに収容される濾過材へ上方から供給する揚水ポンプの配置に用いられる水濾過装置であって、
前記ポンプ配置用部に設置される補助ケースを備えており、
該補助ケースは、予め定めた水質管理材を収容可能の内部スペースを有しているとともに、前記揚水ポンプとして水中使用可能の揚水ポンプの水吐出口部を接続する該補助ケース底部のポンプ接続部と、該ポンプ接続部から立ち上がる送水管と、該送水管の上端部に接続され、該ポンプで水槽内から汲み上げられ該送水管を上昇してくる水の一部を前記水濾過用部の濾過材収容スペースに収容される濾過材へ向け、残部を該補助ケース内へ向け分流落下させる水分流器と、該水分流器から該補助ケース内へ落下供給される水の前記水濾過用部への溢出口部とを有しており、
前記水濾過用部は前記補助ケースの溢出口部からの溢出水を受け入れる溢出水受け入れスペースを備えているとともに、前記濾過材収容スペースに収容される濾過材の下方に位置する濾過水受け入れスペースを備えており、該濾過水受け入れスペースは該溢出水受け入れスペース及び前記濾過水放出部に連通している水濾過装置を提供する。
【００２０】
ここで補助ケース内への収容対象である「水質管理材」とは濾過材、水質を適正なものに向ける微生物の付着、繁殖を促す部材、水質改良剤等のうち１又は２以上である。
【００２１】
本発明に係る水濾過装置は、水濾過用部の濾過材収容スペースに濾過材を収容し、ポンプ配置部に補助ケースを設置し、該補助ケース底部のポンプ接続部に水中使用可能の揚水ポンプの水吐出口部を接続し、該補助ケース内に予め定めた水質管理材を収容するとともに、連設された状態の水濾過用部及びポンプ配置用部を水槽上部に設置し、揚水ポンプの吸水口を水槽内の水中に直接或いは適当な吸水パイプを介して連通させて用いることができる。
【００２２】
揚水ポンプの運転により水槽から汲み上げられた水は、補助ケースのポンプ接続部から立ち上がる送水管を上昇して水分流器に達し、そこで水の一部は水濾過用部の濾過材収容スペースに収容された濾過材へ供給され、該濾過材で濾過されて水濾過用部の濾過水受け入れスペースへ流入し、そこから濾過水放出部へ流れ込み、該濾過水放出部から水槽内へ放出される。
【００２３】
揚水ポンプに汲み上げられて水分流器に達した水の残部は、該水分流器から補助ケース内へ供給され、該ケース内部の水質管理材に触れる。該ケース内の水位が上昇した水は該ケースの溢出口部から水濾過用部の溢出水受け入れスペースへ溢れ出て、該スペースから前記濾過水受け入れスペースへ流れ込み、濾過材を通ってきた濾過水とともに該濾過水受け入れスペースから濾過水放出部へ流入し、そこから水槽内へ放出される。
【００２４】
このように本発明に係る水濾過装置によると、ポンプ配置用部は揚水ポンプの配置に利用できるだけでなく、水質管理材の配置と、揚水ポンプに汲み上げられる水の一部の該水質管理材との接触による水質向上にも利用できる。
【００２５】
本発明に係る水濾過装置においては、前記水濾過用部は前記ポンプ配置用部に臨む側壁を有することができ、前記溢出水受け入れスペースは該側壁内側に形成することができる。
【００２６】
この場合、前記補助ケースの溢出口部は、該補助ケースが前記ポンプ配置部に設置された状態で該水濾過用部の溢出水受け入れスペースの上部に臨むことができるように形成することができる。前記濾過材収容スペースは該溢出水受け入れスペースに隣り合ったものとすることができる。
【００２７】
また、前記水濾過用部は前記濾過材収容スペースを間にして前記溢出水受け入れスペースとは反対側に前記濾過水放出部を有することができる。水濾過用部の濾過材収容スペースに収容される濾過材下方に位置する前記濾過水受け入れスペースは該濾過水放出部まで延在していてもよい。
【００２８】
前記濾過水放出部は、底部から立ち上がり、上端に水流入口を有する、水濾過用部内水位調整用の水放出管を備えていてもよい。
【発明の効果】
【００２９】
以上説明したように本発明によると、水濾過用部と、該水濾過用部に連設されたポンプ配置用部とを有し、連設された状態の該水濾過用部及びポンプ配置用部を水槽上部に設置して用いる水槽用の水濾過装置にして、該水濾過用部は濾過材収容スペース及び該濾過材収容スペースに収容される濾過材で濾過される水を前記水槽内へ放出するための濾過水放出部を有しており、前記ポンプ配置用部は水槽内水を汲み上げて前記水濾過用部の濾過材収容スペースに収容される濾過材へ上方から供給する揚水ポンプの配置に用いられる水濾過装置であって、該ポンプ配置用部を、揚水ポンプの配置だけでなく、水槽内水の一層の水質向上のためにも利用できる水濾過装置を提供することができる。
【発明を実施するための最良の形態】
【００３０】
以下、本発明の実施形態について説明する。
図１は本発明に係る水濾過装置の１例の平面図であり、図２は図１のＸ−Ｘ線に沿う断面図である。
【００３１】
図１、図２に示す水濾過装置Ａは、水濾過用部１と、図中その右側に連設されたポンプ配置用部２とを含んでいる。
【００３２】
水濾過用部１は横長のボックス形態のケース１１を含んでいる。ケース１１は左右の側壁１１ａ、１１ｂ、手前側壁１１ｃ、奥側壁１１ｄ及び底壁１１ｅで囲まれた内部空間を有している。ケース１１の上端は開放されている。
【００３３】
ケース１１の右側壁１１ｂの外面には上下方向に延びる突条部１１１が平行に２本形成されている。この突条部１１１は後ほど詳述するポンプ配置用部２のケース１１への接続のために用いられる。
【００３４】
水濾過用部１のケース１１内には、該ケースの右側壁１１ｂより若干左側へ隔たって該側壁と平行な右側仕切り壁１２１が配置されているとともに仕切り壁１２１の下端からケース底壁１１ｅと平行にケース左側壁１１ａの方へ向け延びる濾過材支持板１２２が配置されている。
【００３５】
仕切り壁１２１と濾過材支持板１２２とは合成樹脂から一体的に形成されており、その一体成形物が仕切り壁１２１と濾過材支持板１２２との境目部分で略９０度折り曲げられることで、仕切り壁１２１は濾過材支持板１２２から立ち上がっている。
【００３６】
仕切り壁１２１の手前側端縁はケース１１の手前側壁１１ｃの内面に上下方向に突設された２本の凸条部１２１ｆの間に差し込まれており、仕切り壁１２１の奥側端縁はケース１１の奥側壁１１ｄの内面に上下方向に突設された２本の凸条部１２１ｒの間に差し込まれている。
【００３７】
濾過材支持板１２２には多数の通水スリット１２２ｓが形成されている。
濾過材支持板１２２の下方のケース底部分は下方へ落とし込まれて濾過水受け入れスペースｓ２とされている。濾過材支持板１２２はスペースｓ２においてケース１１の底壁１１ｅから立設された複数本の支持突起１２３に支持されている。
【００３８】
ケース１１内には、さらに、ケース１１の左側壁１１ａより右側へ離れた位置に左側仕切り壁１４１が配置されているとともに該仕切り壁１４１の下端からケース底壁１１ｅと平行にケース左側壁１１ａの方へ向け延びる板状部材１４２が配置されている。
前記の濾過材支持板１２２は該仕切り壁１４１の近くまで延びている。
【００３９】
仕切り壁１４１と板状部材１４２とは合成樹脂から一体的に形成されており、その一体成形物が仕切り壁１４１と板状部材１４２との境目部分で略９０度折り曲げられることで、仕切り壁１４１は板状部材１４２から立ち上がっている。
【００４０】
仕切り壁１４１の手前側端縁はケース１１の手前側壁１１ｃの内面に上下方向に突設された２本の凸条部１４１ｆの間に差し込まれており、仕切り壁１２１の奥側端縁はケース１１の奥側壁１１ｄの内面に上下方向に突設された２本の凸条部１４１ｒの間に差し込まれている。
【００４１】
このケース１１の該仕切り壁１４１より左側部分が濾過水放出部１４であり、右側部分（前記仕切り壁１２１までの）空間が濾過材収容スペースｓ１である。
濾過材Ｆはこのスペースｓ１に配置される。
【００４２】
また、スペースｓ１に濾過材Ｆを収容したあと、その上方に散水板１５を配置できるようになっている。散水板１５は、後述するようにそれに供給される水を濾過材Ｆの各部に供給できるように多数の通水孔１５１を備えており、水を散水板長手方向に導く畝部１５２も有している。散水板１５はその両端が仕切り板１２１、１４１の上端に載置されることで濾過材Ｆの上方に配置される。
【００４３】
仕切り壁１４１の下部には濾過水放出部１４に通じる複数の通水孔１４１ａ（図２参照）が形成されている。
また、仕切り壁１４１と一体の板状部材１４２には多数の通水スリット１４２ｓが形成されているとともに、仕切り壁１４１に近い位置にドーム形状部１４３が上方へ向け膨出形成されている。さらにドーム形状部１４３の奥側に開口１４４が形成さている。
【００４４】
ドーム形状部１４３は仕切り壁１４１側が開放されており、それ以外の部分には複数本の通水スリット１４３ｓが形成されている。
【００４５】
前記の濾過水受け入れスペースｓ２はケース１１の右側壁１１ｂから該ドーム形状部１４３の下方まで延在している。
従って、ケース１１の右側壁１１ｂと濾過材収容スペースｓ１の右側を仕切っている仕切り壁１２１との間のスペース（後述する溢出水受け入れスペース）ｓ３は濾過水受け入れスペースｓ２に連通しており、濾過水放出部１４も濾過水受け入れスペースｓ２に連通している。
【００４６】
図２から分かるように、濾過水放出部１４における前記ドーム形状部１４３の下方のケース１１底部部分には水放出管１４５が差し込まれ、ドーム形状部１４３内へ立ち上がっている。この水放出管１４５の上端は水流入口１４５ａとなっている。水放出管１４５は、水濾過用部１内の水位を水放出管の水流入口１４５ａの高さ位置に調整するためのものである。
【００４７】
水放出管１４５の下端開口に対応してケース１１底部の部分に水拡散器１４６が脱離可能に接続さている。
【００４８】
また、前記板状部材１４２のドーム形状部奥側の開口１４４に対応するケース１１底部の部分には非常用水放出管部１４７が立設されており、開口１４４を貫通してドーム形状部１４３の頂部と略同じ高さ位置まで立ち上がっている。この水放出管部１４７は、水放出管１４５による放出だけでは水放出が追いつかず、水放出管１４５上端より水位が上昇したとき、水を放出できるようにするためのものである。
【００４９】
なお、濾過水放出部１４においては、板状部材１４２の上側、且つ、ドーム形状部１４３の外側の領域ｓ４に濾過材等の水質管理材Ｆ２を収容してもよい。
【００５０】
ポンプ配置用部２は、前記ケース１１の右端に接続された、平面視コの字状の全体としてボックス形状のケース２１を含むものである。ケース２１は前記水濾過用部１のケース１１の右端に設けられた突条部１１１に差し込まれる溝部２１１を備えており、該突条部１１１を溝部２１１に差し込むことでケース１１に連設される。なお、ポンプ配置用部２のケース２１はケース１１と一体的に形成されてもよい。
【００５１】
ケース２１は上端が開放されており、底部壁２１ｅには開口２１２が形成されている。  ケース２１内には補助ケース３が設置されている。補助ケース３は、その底部がケース２１の底部開口２１２からケース２１外へ臨んでいる。
補助ケース３は底部のポンプ接続部３１及び該ポンプ接続部３１からケース３内を立ち上がる送水管３２を有している。補助ケース３内の該送水管３２周囲領域に濾過材等の水質管理材Ｆ１を収容できる。
【００５２】
補助ケース３は、前記水濾過用部１のケース１１側に向けられた部分の上部に、ケース３内に後述するようにして溜まる水を溢出させるための溢出口部３３を有している。溢出口部３３は水濾過用部１のケース１１の右側壁１１ｂの上端部に形成された凹部に引っ掛ける引っ掛け部を兼ねている。補助ケース３は該溢出口部３３を水濾過用部のケース１１の右側壁１１ｂの上端部に引っ掛け、補助ケース底部の後部下面に設けた足部３４をポンプ配置用部２のケース２１の底部に座らせることで、ケース２１内に設置される。
【００５３】
補助ケース３底部のポンプ接続部３１には水中使用可能の揚水ポンプＰの水吐出口部Ｐ１が脱離可能に接続される。
本例での揚水ポンプは、電動モータ及び該モータで回転駆動される駆動磁石部材を水密に密封した部分と、該駆動磁石部材に対応する従動磁石部材とともに回転するポンプインペラーを有するポンプ本体部とを含むもので、該電動モータにより回される駆動磁石部材の回転により磁力のもとに従動磁石部材がまわされ、それによりインペラーが回され、揚水を行うもので、マグネットポンプ等と称されているものである。
本例では揚水ポンプＰの吸水口部にさらに吸水管Ｐ２を接続して使用される。
【００５４】
送水管３２の上端部には水分流器３５が接続されている。水分流器３５は、ポンプＰで水槽内から汲み上げられ送水管３２を上昇してくる水の一部を水濾過用部１の散水板１５を介して濾過材Ｆへ向け、残部を補助ケース３内へ向け分流落下させるものである。
【００５５】
本例では、ポンプＰで汲み上げられる水量の多くが水濾過用部１側へ分流され、残部が補助ケース３へ分流される。
【００５６】
水濾過装置Ａは、水濾過用部１の濾過材収容スペースｓ１に濾過材Ｆを収容し、その上方に散水板１５を配置し、ポンプ配置部２に補助ケース３を設置し、該補助ケース底部のポンプ接続部３１に水中使用可能の揚水ポンプＰの水吐出口部Ｐ１を接続し、該補助ケース内に予め定めた水質管理材Ｆ１を収容するとともに、連設された状態の水濾過用部１及びポンプ配置用部２を水槽Ｂの上枠ｆに設置し、揚水ポンプＰの吸水口に接続された吸水パイプＰ２を水槽Ｂ内の水Ｗ中へ入れて用いることができる。
【００５７】
揚水ポンプＰの運転により水槽Ｂから汲み上げられた水Ｗは、補助ケース３のポンプ接続部３１から立ち上がる送水管３２を上昇して水分流器３５に達し、そこで水の一部は水濾過用部１の濾過材Ｆ上方の散水板１５へ供給され、該散水板から濾過材Ｆの各部へ供給されて該濾過材で濾過され、濾過水受け入れスペースｓ２へ落下流入し、そこから濾過水放出部１４へ流れ込み、また、一部の濾過水は仕切り壁１４１壁の通水孔１４１ａから濾過水放出部１４へ流れ込み、さらに濾過水放出部１４の水放出管１４５へその水流入口１４５ａから流入し、拡散器１４６から水槽Ｂ内へ拡散放出される。なお、拡散器１４６は水中につかっていても、水中から出ていてもよい。
【００５８】
濾過水放出部１４において水質管理材Ｆ２が収容されている場合には、濾過水放出部１４に流入した水は該水質管理部材Ｆ２と接触しながら放出される。
【００５９】
また揚水ポンプＰに汲み上げられて水分流器３５に達した水の残部は、水分流器３５から補助ケース３内へ供給され、ケース内部の水質管理材Ｆ１に接触する。ケース３内の水位が上昇した水はケース溢出口部３３から水濾過用部１の溢出水受け入れスペースｓ３へ溢れ出て、該スペースｓ３から濾過水受け入れスペースｓ２へ流れ込み、濾過材Ｆを通ってきた濾過水とともに濾過水受け入れスペースｓ２から濾過水放出部１４へ流入し、そこから水槽Ｂ内へ放出される。
【００６０】
このように水濾過装置Ａによると、ポンプ配置用部２は揚水ポンプＰの配置に利用されるだけでなく、水質管理材Ｆ１の配置と、揚水ポンプＰに汲み上げられる水の一部の該水質管理材Ｆ１との接触による水質向上にも利用できる。
【００６１】
図３は本発明に係る水濾過装置の他の例を示している。図３の水濾過装置Ａ１は、図１、図２に示す水濾過装置Ａにおいて、全長を増加させるためのアタッチメントケース４を図中右端部を若干変更形成したポンプ配置用部２に接続可能としたものである。これ以外の点は装置Ａと同じ構造であり、装置Ａと実質上同じ部品、部分には装置Ａと同じ参照符号を付してある。
【００６２】
ポンプ配置用部２とアタッチメントケース４との相互接続は、ポンプ配置用部２に設けた突条部２１３にアタッチメントケース４の溝部４１を差し込むことにより行われる。アタッチメントケース４を接続することで水槽Ｂより大型の水槽Ｂ１への設置が可能となる。
【産業上の利用可能性】
【００６３】
本発明は、魚等の動物の飼育や観賞、植物の育成や観賞等に用いることができる水槽等の水槽の水を濾過することに利用できる。
【図面の簡単な説明】
【００６４】
【図１】本発明に係る水濾過装置の１例の平面図である。
【図２】図１のＸ−Ｘ線に沿う断面図である。
【図３】本発明に係る水濾過装置の他の例の断面図である。
【図４】従来の水濾過装置の１例の断面図である。
【図５】従来の水濾過装置の他の例の断面図である。
【符号の説明】
【００６５】
Ａ  水濾過装置
１  水濾過用部
１１  水濾過用部１のケース
１１ａ  ケース左側壁
１１ｂ  ケース右側壁
１１ｃ  ケース手前側壁
１１ｄ  ケース奥側壁
１１ｅ  ケース底壁
１１１  ケース１１に設けた突条部
１２１  仕切り壁
１２１ｆ、１２１ｒ  凸条部
１２２  濾過材支持板
１２２ｓ  通水スリット
１２３  支持板支持用の突起部
ｓ１  濾過材収容スペース
ｓ２  濾過水受け入れスペース
ｓ３  溢出水受け入れスペース
１４  濾過水放出部
１４１  仕切り壁
１４１ａ  通水孔
１４１ｆ、１４１ｒ  凸条部                                                      １４２  板状部材
１４２ｓ  通水スリット
１４３  ドーム形状部
１４３ｓ  通水スリット
１４４  ドーム形状部奥側の開口
１５  散水板
１５１  通水孔
１５２  畝部
１４５  水放出管
１４５ａ  水流入口
１４６  水拡散器
１４７  非常用水放出管部
Ｆ２  水質管理材
ｓ４  水質管理材Ｆ２配置のための領域
２  ポンプ配置用部
２１  ポンプ配置用部のケース
２１１  溝部
２１ｅ  ケース２１底部壁
２１２  底部壁開口
３  補助ケース
３１  ポンプ接続部
３２  送水管
Ｆ１  水質管理材
３３  水の溢出口部
３４  足部
Ｐ  揚水ポンプ
Ｐ１  水吐出口部
Ｐ２  吸水管
３５  水分流器
Ｂ  水槽
ｆ  水槽上枠
ｇ  水槽ガラス壁
Ａ１  水濾過装置
４  アタッチメントケース
２１３  突条部
４１  溝部
Ｂ１  水槽
【図１】
2008237031.tif 000003
【図２】
2008237031.tif 000004
【図３】
2008237031.tif 000005
【図４】
2008237031.tif 000006
【図５】
2008237031.tif 000007